(57)【要約】【課題】移動用給水スタンドに関し、簡易な操作で支持脚の配置を変えることができる移動用給水スタンドを提供するものである。【解決手段】走行移動が可能な移動用給水スタンド１において、スプリンクラー２を上端に取り付け可能な散水管４と、該散水管４の外周に固定支持脚５および回動支持脚１３Ｌ・１３Ｒを保持ための連結管９を外装し、該連結管９によって前記散水管４を垂直方向に支持するように保持された端部にタイヤ８を備えた固定支持脚５と、同じく前記散水管４を垂直方向に支持するように、かつ、前後方向に回動可能となるように該連結管９の外周に沿って上下方向に配設された取り付け管１６Ｌ・１６Ｒに保持された回動支持脚１３Ｌ・１３Ｒとを備えた。さらに、前記取り付け管１６Ｌ・１６Ｒの外周面にノブネジ１９Ｌ・１９Ｒを配設し、該ノブネジ１９Ｌ・１９Ｒを締め付けて前記回動支持脚１３Ｌ・１３Ｒの前後回動を制限した。【選択図】        図５
2004275135.tif 000002
【特許請求の範囲】
【請求項１】
主取り付け体上部に吐出手段を取り付け可能に構成し、該主取り付け体より前方に車輪を備えた固定支持脚を突出し、該主取り付け体両側に枢支体を固設し、該枢支体に回動支持脚を前後回動可能に装着したことを特徴とする移動用給水スタンド。
【請求項２】
前記枢支体に回動支持脚の固定手段を設けたことを特徴とする請求項１記載の移動用給水スタンド。
【請求項３】
前記主取り付け体の側面に前記回動支持脚の回動を制限する手段を固定したことを特徴とする請求項１または請求項２記載の移動用給水スタンド。
【発明の詳細な説明】
【０００１】
【発明の属する技術分野】
本発明は、移動用給水スタンドに関するものである。
【０００２】
【従来の技術】
従来から、圃場等において、スプリンクラーを取り付けることができる散水管を備えた移動可能な給水スタンドが利用されており、この給水スタンドを適所に運び込んで散水作業が行われてきた。この種の移動用給水スタンドに関しては、例えば、特許文献１に示すようなものが提案されている。具体的には、散水管に接続する散水ホースを台車に備え、手動リールによりこれを収納可能とした四輪のキャスター台車であって、車体に搭載した散水ホースの収納作業をオペレータ一人で行えるようにしたことを特徴としている（特許文献１参照）。
【０００３】
一方で、前記特許文献１に示したような四輪型のキャスター台車等は、使用の際の安定性に優れているが，小回りが利かず、本体の移動・収納が不便である。そのため、一般的な圃場等では，一輪型や二輪型の移動用給水スタンドも利用されている。例えば、図６に示すような一輪型の移動用給水スタンドが知られている。具体的には、移動用給水スタンド２９においては、スプリンクラーを上方端部に取り付け可能な散水管３０が、支持フレーム３６により地表面と垂直方向に前部フレーム３１に固設されている。該前部フレーム３１は前方傾斜するように配設され、該前部フレーム３１の前端部に軸支された車軸３８に車輪３７が固設され、移動用給水スタンド２９を走行可能としている。前記前部フレーム３１の後端部に後部フレーム３３が左右軸方向に横設され、該後部フレーム３３の両端部には連結部３４Ｌ・３４Ｒが配設されている。そして、該連結部３４Ｌ・３４Ｒにボルト３９Ｌ・３９Ｒが上下方向に貫通され、該ボルト３９Ｌ・３９Ｒにより略Ｕ字形の支持脚３２Ｌ・３２Ｒがそれぞれ固定されている。
【０００４】
【特許文献１】
特開平５−３１１６２３公報
【０００５】
【発明が解決しようとする課題】
しかし、従来の一輪型の移動用給水スタンドにおいては、オペレータが前記支持脚を持ち上げて目的の場所まで該移動用給水スタンドを移動させるときに、前記支持脚は後部フレームに固定されており、該支持脚の開き幅も広いため、狭所での移動が困難であるという課題があった。
また、該移動用給水スタンドの支持脚は、スパナ等で連結部のボルトを外して分解して所望の配置となるように変更・固定することができるが、散水の実施や、スタンド本体の移動・格納の度にスパナ等で分解作業を行う必要があるため煩わしいという課題があった。
そこで、本発明においては、移動用給水スタンドに関し前記従来の課題を解決するもので、簡易な操作で支持脚の配置を変えることができる構造を提供することを目的とするものである。
【０００６】
【課題を解決するための手段】
本発明の解決しようとする課題は以上の如くであり、次にこの課題を解決するための手段を説明する。
すなわち、請求項１においては、主取り付け体上部に吐出手段を取り付け可能に構成し、該主取り付け体より前方に車輪を備えた固定支持脚を突出し、該主取り付け体両側に枢支体を固設し、該枢支体に回動支持脚を前後回動可能に装着したものである。
【０００７】
また、請求項２においては、請求項１において、前記枢支体に回動支持脚の固定手段を設けたものである。
【０００８】
さらに、請求項３においては、請求項１・２において、前記主取り付け体の側面に前記回動支持脚の回動を制限する手段を固定したものである。
【０００９】
【発明の実施の形態】
以下、添付図面を参照しながら、本発明の実施の形態について説明する。
図１は本発明に係る移動用給水スタンドを示す斜視図、図２は同じく側面一部断面図、図３は図２におけるＸ−Ｘ断面矢視図である。また、図４は支持脚の取り付け構造を示す斜視図、図５は本発明に係る移動用給水スタンドの使用状態を表す上面図である。さらに、図６は従来の移動用給水スタンドの上面図である。
【００１０】
まず、本発明に係る移動用給水スタンド１の全体構成について、以下に説明する。以下、タイヤ８が配設される方向を前方とする。
図１の斜視図に示すように、本発明に係る移動用給水スタンド１は、固定支持脚５および回動支持脚１３Ｌ・１３Ｒによって主取り付け体となる散水管４を垂直方向に支え、三脚状に構成している。
そして、図２および図３に示すように、前記散水管４の上端部に吐出手段となるスプリンクラー取り付け端４ｂが形成され、該スプリンクラー取り付け端４ｂにスプリンクラー２が配設される。また、該散水管４の下端部にはホース接続端４ａが形成され、該ホース接続端４ａにホース３が接続される。該ホース３の一側他端部に接続された散水栓から送水された水は、前記散水管４内の送水部４ｃを通ってスプリンクラー２に送られ、該スプリンクラー２を中心として散水が実施される。
【００１１】
前記散水管４の上下中心には、該散水管４の外周を囲むように連結管９が外挿されている。該連結管９の外周面に固定ボルト１０・１０が配設され、該固定ボルト１０・１０により前記散水管４が締め付けられて固定されている。該固定ボルト１０・１０を緩めると前記散水管４が上下摺動および前後回転できるため、散水作業において散水方向の微調整や、前記ホース３の繰り出し位置に対するホース接続端４ａの向きを適宜変えることができる。なお、前記連結管９は散水管４の外周を囲むようなパイプ状に形成されたものに限定されるものではなく、断面ロ字型やコ字型の直方体に形成されたものでもよい。
【００１２】
前記散水管４の前方外周面には、脚取り付け部９ａが下方向に傾斜して突設されている。該脚取り付け部９ａには固定支持脚５が挿入され、該固定支持脚５は脚取り付け部９ａの上面から貫通されたボルト１１・１１およびナット１２・１２により固定されている。該固定支持脚５の前方他端にはタイヤ支持材６が配設され、該タイヤ支持材６の前端に軸支された車軸７にタイヤ８が回転自在に支持されて移動用給水スタンド１を走行可能としている。本発明に係る移動用給水スタンド１は、前方部の前記固定支持脚５に一輪のタイヤ８が取り付けられる一輪型であるため、後述するように、オペレータが回動支持脚１３Ｌ・１３Ｒを両手で持ち上げることにより容易に走行移動が可能となる。
【００１３】
また、前記散水管４の上部には、該散水管４の外周面に沿うように上下方向に、かつ、散水管４の中心軸に対して左右軸方向に対称に枢支体となる取り付け管１６Ｌ・１６Ｒが配設されている。後述するように、該取り付け管１６Ｌ・１６Ｒの下側から、側面視略Ｚ字型に形成された回動支持脚１３Ｌ・１３Ｒの上部が挿入されている。なお、該回動支持脚１３Ｌ・１３Ｒは、両端部に垂直軸方向に並行となるように屈曲させた基端部１４Ｌ・１４Ｒと脚端部１５Ｌ・１５Ｒとがそれぞれ形成されている。該回動支持脚１３Ｌ・１３Ｒと前記固定支持脚５は、散水管４が地表面に対して垂直支持されるように、該散水管４の下方外周に放射状に傾斜して配設されている。
【００１４】
前記脚端部１５Ｌ・１５Ｒの下端には接地プレート２０Ｌ・２０Ｒがそれぞれ水平方向に固設され、該接地プレート２０Ｌ・２０Ｒの固定部外周側には上下方向に杭２４の外形に合わせた貫通孔２５Ｌ・２５Ｒがそれぞれ設けられている。設置時には貫通孔２５Ｌ・２５Ｒに杭２４Ｌ・２４Ｒを挿入して地中に打ち込むことで、移動用給水スタンド１の位置を固定して、前記スプリンクラー２による散水を安定させることができる。
そして、本実施例のように回動支持脚１３Ｌ・１３Ｒをそれぞれ別の取り付け管１６Ｌ・１６Ｒに挿入させ、各々自由に回動できるように構成することで、凹凸した設置面であっても、回動支持脚１３Ｌ・１３Ｒを各々最も安定な位置まで回動させて、移動用給水スタンド１を固定することができ、安定した状態で散水を実施できるようになるのである。
【００１５】
ここで、図４に示すように、前記回動支持脚１３Ｌ・１３Ｒの取り付け構造の一実施例について説明する。なお、図４の斜視図に示すように回動支持脚１３Ｌについてのみ説明するが、本実施例においては左右の回動支持脚１３Ｌ・１３Ｒについては同様の作用効果を奏し、また、取り付け可能な支持脚はこれらに限定されるものではない。
まず、前記散水管４の上部には該散水管４の外周面に沿うように上下方向に固定プレート２３Ｌが配設され、該固定プレート２３Ｌに取り付け管１６Ｌが上下方向に固着されている。該取り付け管１６Ｌは、上下両端または下端のみを開放したパイプ状であり、該取り付け管１６Ｌ下端の挿入口１７Ｌに、略Ｚ字型に形成された回動支持脚１３Ｌの基端部１４Ｌが下方から挿入される。このように、パイプ状の取り付け管１６Ｌに、断面円形状の回動支持脚１３Ｌを挿入させることで、該回動支持脚１３Ｌを前後に回動できるようにしている。
【００１６】
また、該基端部１４Ｌの下部外周には、円周に沿ってツバ２２Ｌが形成されてストッパーとしており、回動支持脚１３Ｌが前記取り付け管１６Ｌに挿入されると、該ツバ２２Ｌと取り付け管１６Ｌの下側面が当接する。このように、該ツバ２２Ｌを設けることで、回動支持脚１３Ｌが屈曲部位まで挿入されることがなく、回動操作によって破損してしまうのを防ぐことができる。なお、該ツバ２２Ｌが回動支持脚１３Ｌの外周方向へ突起する突起長さを、前記取り付け管１６Ｌの外周壁と内周壁との厚さよりも短くすることで、前記固定プレート２３Ｌを形成することなく、散水管４の外周面に直接取り付け管１６Ｌを配設することができる。なお、ツバ２２の代わりにピンを基端部１４Ｌの直径方向に貫通挿入したり、取り付け管１６Ｌの上端を閉じることでも、同様の効果を奏する。
【００１７】
前記取り付け管１６Ｌの側面にはネジ孔２６Ｌが形成され、該ネジ孔２６Ｌにはノブネジ１９Ｌが螺挿されている。該取り付け管１６Ｌには前記回動支持脚１３Ｌが挿入され、該回動支持脚１３Ｌを所望の位置に来るように前後回動させてから該ノブネジ１９Ｌを締め付けことによって、該回動支持脚１３Ｌの回動位置が固定される。つまり、ノブネジ１９Ｌの締め付け動作のみで、簡単に支持脚の回動位置を変更することができるのである。また、上下高さを調整することもできる。さらに、このように該回動支持脚１３Ｌの回動位置を定着させることで、スプリンクラー２による散水を安定に実施でき、また、移動等の際に回動支持脚１３Ｌが前記取り付け管１６Ｌから抜け落ちることを防ぐことができる。なお、回動支持脚１３Ｌの回動位置の固定について、前記基端部１４Ｌに回動位置調節用の貫通孔を円周に沿って数箇個設け、所望の回動位置調節用の貫通孔と前記ネジ孔２６Ｌを一致させてノブネジ等で固定させてもよい。
【００１８】
前記連結管９の後部下端には、外周面に沿うように上下方向に杭収納管１８Ｌが配設されている。該杭収納管１８Ｌは、上端に開口部を有するパイプ状に形成され、前記杭２４Ｌを差し込んで保持・保管できるようにしている。移動用給水スタンド１を移動させたり、格納したりする際には、前記杭２４Ｌは不用となる。したがって、該杭収納管１８Ｌを設けることで、移動の際に杭を持ち歩く不便さを解消し、別途紛失するのを防ぐことができる。
また、前記連結管９の後部下端であって、前記回動支持脚１３Ｌが後方に回動されて、該回動支持脚１３Ｌの屈曲部位近傍が杭収納管１８Ｌの外周壁に当接するような位置に前記杭収納管１８Ｌを配設することで、当該当接位置よりも後方への回動支持脚１３Ｌの回動が阻止される。したがって、後述するように、移動用給水スタンド１を移動させるときに、回動支持脚１３Ｌ・１３Ｒは後方に回動されて杭収納管１８Ｌ・１８Ｒに当接されるため、オペレータは該回動支持脚１３Ｌ・１３Ｒを持ちやすく、移動用給水スタンド１を安定して走行させることができる。
【００１９】
次に、図５に示すように、本発明に係る移動用給水スタンド１の使用態様について以下に説明する。
該移動用給水スタンド１は、上述したような全体構造とすることで、散水管４は前記固定支持脚５と回動支持脚１３Ｌ・１３Ｒにより三軸支持され、該散水管４は地表面に対して垂直となるように維持される。そして、本実施例に係る回動支持脚１３Ｌ・１３Ｒの取り付け構造によれば、移動用給水スタンド１に備えたスプリンクラー２による散水の実施、移動用給水スタンド１の移動・格納等の使用態様に応じて該回動支持脚１３Ｌ・１３Ｒの回動位置を変更することができる。
【００２０】
具体的には、スプリンクラー２による散水を実施する場合には、前記回動支持脚１３Ｌ・１３Ｒを使用位置Ｎに回動させ、前記ノブネジ１９Ｌ・１９Ｒをそれぞれ締め付けることで位置固定させる。また、該移動用給水スタンド１本体は前記杭２４Ｌ・２４Ｒにより杭打ち固定される。そのため、散水管４を支持する回動支持脚１３Ｌ・１３Ｒのぐらつきがなく、安定した散水を実施できる。
【００２１】
オペレータが移動用給水スタンド１を移動させる場合には、前記ノブネジ１９Ｌ・１９Ｒを緩めて回動支持脚１３Ｌ・１３Ｒを回動可能にし、該回動支持脚１３Ｌ・１３Ｒを移動位置Ｄまで後方回動させる。そして、オペレータが、該回動支持脚１３Ｌ・１３Ｒを両手で把持して持ち上げることで、前記固定支持脚５の前方下端部に配置される前記タイヤ８によって走行移動を行うことができる。また、前記回動支持脚１３Ｌ・１３Ｒが使用位置Ｎに固定されている場合の該回動支持脚１３Ｌ・１３Ｒの開き幅Ｗ１よりも、移動位置Ｄにおける該回動支持脚１３Ｌ・１３Ｒの開き幅Ｗ２の方が狭い（Ｗ２＞Ｗ１）。したがって、オペレータは、移動用給水スタンド１を移動させる際に、前記ノブネジ１９Ｌ・１９Ｒを緩め、前記回動支持脚１３Ｌ・１３Ｒを回動させるだけで、容易に移動用給水スタンド１を左右軸方向にコンパクトな形状にすることができるのである。また、後方に回動された前記支持軸１３Ｌ・１３Ｒは前記杭収納管１８Ｌ・１８Ｒに当接されているため、前記開き幅Ｗ２より狭くなることはない。
【００２２】
さらに、当該開き幅を前記杭収納管１８Ｌ・１８Ｒの配設位置によって変更することができる。特に、オペレータが、前記回動支持脚１３Ｌ・１３Ｒを持ち上げて移動用給水スタンド１を移動させる際に、該支持軸１３Ｌ・１３Ｒが前記杭収納管１８Ｌ・１８Ｒに当接するような位置に、前記杭収納管１８Ｌ・１８Ｒを配設させると、走行中の移動用給水スタンド１の姿勢維持が容易となる。
【００２３】
そして、オペレータが移動用給水スタンド１を格納する場合には、前記ノブネジ１９Ｌ・１９Ｒを緩めて回動支持脚１３Ｌ・１３Ｒを回動可能にし、該回動支持脚１３Ｌ・１３Ｒをタイヤ８側部の格納位置Ｐまで前方回動させる。その後、再び前記ノブネジ１９Ｌ・１９Ｒを締め付ける。当該格納位置Ｐにおける前記開き幅Ｗ３は、上述した使用位置Ｎまたは移動位置Ｄのそれぞれの開き幅Ｗ１またはＷ２よりも狭く（Ｗ１ｏｒＷ２＞Ｗ３）、前後方向だけでなく左右軸方向にも非常にコンパクトな形状とすることができる。したがって、移動用給水スタンド１を格納する際には、格納場所において余剰の場所を必要とせず、また、オペレータが容易に運び込むことができる。さらに、当該格納位置Ｐにおいても、前記ノブネジ１９Ｌ・１９Ｒを締め付けることで、回動支持脚１３Ｌ・１３Ｒが抜け落ちてしまうことを防ぐことができる。
【００２４】
なお、本発明に係る移動用給水スタンド１の構造は、上述した実施例に限定されるものではなく、例えば、前記散水管４は前記固定支持脚５の前後中央に配設させてもよく、さらに、前後回動可能な構成として、取り付け管を一つだけ設けて後方の二つの回動支持脚１３を該取り付け管によって前後回動可能に嵌装させてもよい。特に、回動支持脚１３の回動位置を固定する手段としては、前記ノブネジ１９Ｌ・１９Ｒによることなく、バネ等の弾性体により付勢されたプッシュボタン式等で構成することで、さらに簡易に支持脚の配置を変えることができる。
【００２５】
【発明の効果】
本発明は、以上のように構成したので、以下に示すような効果を奏する。
すなわち、請求項１に示すように、主取り付け体上部に吐出手段を取り付け可能に構成し、該主取り付け体より前方に車輪を備えた固定支持脚を突出し、該主取り付け体両側に枢支体を固設し、該枢支体に回動支持脚を前後回動可能に装着したので、簡易な操作で支持脚の配置を変えることができる。また、該支持脚を前後に回動させることによって、スプリンクラーを固定して散水作業を実施するときと、本体を移動させたり、格納したり等の使用態様に対応して変更することができる。
【００２６】
また、請求項２に示すように、請求項１において、前記枢支体に回動支持脚の固定手段を設けたので、散水作業を実施するときや格納、移動時等に支持脚がぐらつくことがなく、安定させることができる。
【００２７】
さらに、請求項３に示すように、請求項１・２において、前記主取り付け体の側面に前記回動支持脚の回動を制限する手段を固定したので、スタンド本体の走行が安定するため、容易に移動させることができる。
【図面の簡単な説明】
【図１】本発明に係る移動用給水スタンドを示す斜視図。
【図２】同じく側面一部断面図。
【図３】図２におけるＸ−Ｘ断面矢視図。
【図４】支持脚の取り付け構造を示す斜視図。
【図５】本発明に係る移動用給水スタンドの使用状態を表す上面図。
【図６】従来の移動用給水スタンドの上面図。
【符号の説明】
１  移動用給水スタンド
２  スプリンクラー
３  ホース
４  散水管
５  固定支持脚
９  連結管
１３Ｌ・１３Ｒ  回動支持脚
１６Ｌ・１６Ｒ  取り付け管
１８Ｌ・１８Ｒ  杭収納管
１９Ｌ・１９Ｒ  ノブネジ
２０Ｌ・２０Ｒ  接地プレート
【図１】
2004275135.tif 000003
【図２】
2004275135.tif 000004
【図３】
2004275135.tif 000005
【図４】
2004275135.tif 000006
【図５】
2004275135.tif 000007
【図６】
2004275135.tif 000008